(57)【要約】【課題】  前面側からパネル化作業ができるので作業性に優れているし、施工期間を短縮でき、また狭隘な現場にも設置することができる。しかも、大きさが不揃な自然石も前面側を略同一面に揃えることができるし、裏込め材が流出する事態になっても積重した積重物が倒壊することがない。【解決手段】  積重する個々の自然石２とエキスパンドメタル１を所定の間隔に保つ棒鋼からなる連結棒３は、一端側雄ねじ部を自然石２の後面側２Ｂに挿着し、他端側雄ねじ部にはエキスパンドメタル１の菱形開口に嵌入して係合する係止駒が螺着してある。連結棒３には挟持プレート６をエキスパンドメタル１に押圧する締結ナットが螺合してあり、自然石２側にヤシマット８が挿嵌してある。エキスパンドメタル１と自然石２、２、・・・との間に裏込め材を充填する。【選択図】  図１
2005097968.tif 000002
【特許請求の範囲】
【請求項１】
多数の菱形開口が形成されているエキスパンドメタルと、該エキスパンドメタルから一定間隔離間してパネル状に積重する複数個の積重物と、該各積重物の大きさに応じて長さを設定した棒鋼からなり、軸方向一端側の雄ねじ部は該各積重物に螺着される連結棒と、該連結棒の軸方向他端側に挿着するボスから直径方向に一対の掛架腕を突出した形状からなり、前記エキスパンドメタルの菱形開口に挿通可能で、かつ約９０度回転させることにより該一対の掛架腕が該エキスパンドメタルの開口形成材に係合する係止駒と、該係止駒に対向して前記連結棒に遊嵌し、該係止駒との間に前記エキスパンドメタルを挟持する挟持プレートと、前記連結棒の他側雄ねじ部に螺合し、該挟持プレートを前記エキスパンドメタルに押圧する締着ナットとからなり、前記複数個の積重物の各々を前記連結棒を介して前記エキスパンドメタルに所定の間隔で支持してなる積重物のパネル状構造体。
【請求項２】
前記積重物は、天然又は人造の自然石或はコンクリートブロックである請求項１記載の積重物のパネル状構造体。
【請求項３】
前記係止駒の一対の掛架腕は、基端側から先端にかけて前記エキスパンドメタル側に湾曲していることを特徴とする請求項１記載の積重物のパネル状構造体。
【請求項４】
前記連結棒に、積重した前記積重物間の隙間を閉塞するための経年分解性素材からなる閉塞マットを挿装してあることを特徴とする請求項１記載の積重物のパネル状構造体。
【請求項５】
前記連結軸に挿装する閉塞マットは、該連結棒の軸線に対して直交方向に変位可能に挿装してあることを特徴とする請求項４記載の積重物のパネル状構造体。
【請求項６】
所定長さに設定した棒鋼からなる連結棒の先端側を積重物に螺着し、後端側に挿着した係止駒をエキスパンドメタルの菱形開口に前側から挿入して約９０度回転させることにより該係止駒の一対の掛架腕を開口桟に後側から係合し、然る後連結棒に螺合した締着ナットを螺回し、連結棒に遊嵌してある挟持プレートと係止駒との間でエキスパンドメタルを強固に挟持することにより、エキスパンドメタルに強固に連結した連結棒を介して前記エキスパンドメタルから所定の間隔を存した状態で前記複数個の積重物をパネル状に積重支持させるようにした積重物のパネル化方法。
【発明の詳細な説明】
【技術分野】
【０００１】
本発明は、自然石やコンクリートブロック等をパネル状に積重して河岸、道路の法面、公園に設置し、或は構築物の壁を形成するのに好適な積重物のパネル状構造体及び積重物のパネル化方法に関する。
【背景技術】
【０００２】
例えば河岸に自然石を積重して護岸用の擁壁を構築する場合、従来は自然石やコンクリートブロックを積んで裏側にコンクリートを充填する練積み工法や、裏面側から鉄線等で引っ張って支持し、土砂等の裏込め材を充填する工法が行われてきた。また、特許第２９８３２０７号公報には、請求項１に概略「石に棒状部材を該石から延びるように一体化し、前記棒状部材に摩擦力増大手段たる板状部材が移動し得るように保持され、前記棒状部材の先端部に該板状部材よりも先端側に板状部材の変位を規制するカール部を形成した土木構築物用施工石」の発明が、同公報第１３頁段落００９５〜段落００９７及び図３１〜図３３に概略「土木構築物用施工石１を重量定着物となる篭体５７を連結することにより擁壁４０を構築する」発明が夫々開示されている。
【０００３】
本願発明に関しては、下記の特許文献がある。
【特許文献１】特許第２９８３２０７号公報
【発明の開示】
【発明が解決しようとする課題】
【０００４】
上述した従来技術のうち、練積み工法は１段目を積んだら裏側にコンクリートを充填し、コンクリートの硬化後２段目を積む工程を繰り返す工法であるため、長い施工期間を要するし、冬期や雨天の場合には工事ができないという欠点がある。また、自然石を鉄線で引っ張って支持する工法は、裏込め材が流出した場合には自立することができなく、倒壊してしまうという欠点がある。
【０００５】
更に、特許第２９８３２０７号公報に開示の土木構築物用施工石１は、摩擦力増大手段たる板状部材（座金７）に対する砕石等の裏込め材１３による移動抵抗（摩擦力）によって、その滑落（移動）を防止する構成にしているため、裏込め材１３が流出した場合には、自然石は倒壊してしまうという欠点がある。また、詰め石５８を充填した重量定着物となる篭体５７に土木構築物用施工石１を連結することにより擁壁４０を構築する発明においては、土木構築物用施工石１と詰め石５８を充填した篭体５７によりユニット５９を構成して法面に沿って積み上げる工法を行うとしているが、この工法では現場に大型クレーンの設置が必要であるし、クレーンを設置できない現場では施工不可能であるという欠点がある。また、現場で篭体５７に詰め石５８を充填して土木構築物用施工石１を連結する工程で行うとすると、資材を置くためにある程度広い現場が必要であるし、篭体５７に詰め石５８を充填する工程と土木構築物用施工石１を連結する工程を交互に行わなければならず、作業効率が悪いという欠点がある。
【０００６】
また、上記以外に自然石をエキスパンドメタルや金網上に固定してパネル状に列設する工法も知られている。しかし、自然石は大きさが不揃であるからエキスパンドメタルや金網上で固定したのでは、表面側に凹凸が甚だしく表われて安全性を損なう場合があるし、景観を損なうという欠点がある。そこで、使用する自然石の大きさを揃えなければならず、そのための収集作業に多大の日数と労力を要するという欠点がある。
【０００７】
本発明は、法面等に沿って配置するエキスパンドメタルの前面側から積重物のパネル化作業ができるので、作業性に優れていると共に施工期間を短縮できる、積重物と法面との間が狭隘なために裏側からの作業が不可能な現場でも積重物のパネル状構造体を構築できる、大きさが不揃いの自然石でも前面側を略同一面に揃えることができるので安全性が高いし、伝統工法による空積みと同様の擁壁を構築することができる、個々の積重物は棒鋼からなる連結棒によりエキスパンドメタルに支持させてあるから裏込め材が流出する事態になっても積重物が倒壊することがない、積重物のパネル状構造体及び積重物のパネル化方法を提供することを目的とする。
【課題を解決するための手段】
【０００８】
上述した課題を解決するために構成された請求項１に係る本発明の手段は、多数の菱形開口が形成されているエキスパンドメタルと、該エキスパンドメタルから一定間隔離間してパネル状に積重する複数個の積重物と、該各積重物の大きさに応じて長さを設定した棒鋼からなり、軸方向一端側の雄ねじ部は該各積重物に螺着される連結棒と、該連結棒の軸方向他端側に挿着するボスから直径方向に一対の掛架腕を突出した形状からなり、前記エキスパンドメタルの菱形開口に挿通可能で、かつ約９０度回転させることにより該一対の掛架腕が該エキスパンドメタルの開口形成材に係合する係止駒と、該係止駒に対向して前記連結棒に遊嵌し、該係止駒との間に前記エキスパンドメタルを挟持する挟持プレートと、前記連結棒の他側雄ねじ部に螺合し、該挟持プレートを前記エキスパンドメタルに押圧する締着ナットとからなり、前記複数個の積重物の各々を前記連結棒を介して前記エキスパンドメタルに所定の間隔で支持したものからなる。
【０００９】
そして、前記積重物には、天然又は人造の自然石或はコンクリートブロックがある。
【００１０】
また、前記係止駒の一対の掛架腕は、基端側から先端にかけて前記エキスパンドメタル側に湾曲しているものがよい。この形状にすることにより、一対の掛架腕はエキスパンドメタルの開口形成桟に確実に係合する。
【００１１】
前記連結棒に、積重した前記積重物間の隙間を閉塞するための経年分解性素材からなる閉塞マットを挿装するとよい。
【００１２】
また、前記連結軸に挿装する閉塞マットは、該連結棒の軸線に対して直交方向に変位可能に挿装するとよい。
【００１３】
また、請求項６に係る本発明を構成する手段は、所定長さに設定した棒鋼からなる連結棒の先端側を積重物に螺着し、後端側に挿着した係止駒をエキスパンドメタルの菱形開口に前側から挿入して約９０度回転させることにより該係止駒の一対の掛架腕を開口桟に後側から係合し、然る後連結棒に螺合した締着ナットを螺回し、連結棒に遊嵌してある挟持プレートと係止駒との間でエキスパンドメタルを強固に挟持することにより、エキスパンドメタルで強固に支持した連結棒を介して前記エキスパンドメタルから所定の間隔を存した状態で前記複数個の積重物をパネル状に積重支持させるようにしたものからなる。
【発明の効果】
【００１４】
本発明は以上詳述した如く構成したから、下記の諸効果を奏する。
（１）積重する個々の積重物は棒鋼からなる連結棒によりエキスパンドメタルに強固に支持させてあるから、裏込め材が流出した場合でも個々の積重物が倒壊することがない。
（２）積重物は大きさに対応して長さの異なる連結棒によりエキスパンドメタルに支持させる構成にしたから、積重物の表側面を略同一面に揃えることが可能であり、一部の積重物が前方に突出するといった危険な構造物の構築を防止できる。しかも、従来技術では不可能であった伝統工法である空石積み工法の表現が可能である。
（３）連結棒はエキスパンドメタルの後面側に廻り込むことなく前面側から締着することができるから作業性に優れており、狭い施工現場でも積重物を積重してパネル化することができる。
（４）施工現場の条件に応じて予め工場で積重物に対する連結棒の長さ設定と接続作業を行うことにより、施工現場での作業は積重物をエキスパンドメタルに連結しながら順次積重し、裏込め材を充填するだけでよいから、現場での施工期間を従来技術に比べて大幅に短縮することができるし、熟練した作業員でなくても施工が可能である。
（５）係止駒の一対の掛架腕は基端側から先端にかけてエキスパンドメタル側に湾曲させてあり、締着ナットを締付けることにより一対の掛架腕はエキスパンドメタルに対してより強固に係合するから、連結棒をエキスパンドメタルに対して強固に取着することができる。
（６）積重物の後面側に腐食性マットを配置することにより、積重物同士の隙間から裏込め材が流出するのを確実に防止できるし、腐食性マットに草木の種子が付着し易いことから早期にパネルの緑化を図ることができる。
（７）腐食性マットは、連結棒の軸線に対して直交方向に変位可能に挿装してあるから、大きさの異なる積重物を積重することによって位置の異なる隙間に腐食性マットを対応させることができる。
（８）積重物に挿入固着した連結棒に嵌着した係止駒をエキスパンドメタルの菱形開口に前方から挿入して約９０度回転させることにより、係止駒をエキスパンドメタルの裏側から係合し、締着ナットを螺回して連結棒に遊嵌してある挟持プレートと係止駒との間でエキスパンドメタルを強固に挟持することにより、連結棒を介してエキスパンドメタルに所定の間隔を存した状態で複数個の積重物をパネル状に積重支持させる工程からなり、これらの工程は全て前面側から行うことができるから、作業性に優れているし、施工現場での作業量を大幅に削減したことにより施工期間の短縮を図ることができる。
【発明を実施するための最良の形態】
【００１５】
以下、本発明の実施の形態を図面に基づき詳述する。図において、１はエキスパンドメタルで、該エキスパンドメタル１は略「く」字状に屈曲して連続する開口桟１Ａ、１Ａ、・・・によって多数の菱形開口１Ｂ、１Ｂ、・・・が形成されている公知の形状のものである。
【００１６】
２、２、・・・は後述する連結棒３を介して前記エキスパンドメタル１によりパネル状に支持される多数の自然石で、該各自然石２は凹凸の少ない面を前面側２Ａとし、後面側２Ｂの略中心にはドリルにより挿嵌穴２Ｃが穿設してある。
【００１７】
３、３、・・・は前記自然石２、２、・・・をエキスパンドメタル１に強固に連結支持するための棒鋼からなる複数本の連結棒を示す。該各連結棒３は個々の自然石２の大きさに応じてその長さを設定するものであって、小さい自然石の場合は長い連結棒を、大きい自然石の場合は短い連結棒３を用いる。そして、連結棒３には一端側と他端側に雄ねじ部３Ａ、雄ねじ部３Ｂが夫々刻設してある。なお、連結棒３は全長に全周ねじを刻設したものを用いてもよい。４は該連結棒３を自然石２に固着するためのアンカーで、該アンカー４は連結棒３の先端側雄ねじ部３Ａが螺合する雌ねじ部４Ａを刻設した筒体からなり、自然石２の挿嵌穴２Ｃに打ち込むことにより固着してある。
【００１８】
５は連結棒３の他端側雄ねじ部３Ｂに螺着した金属製の係止駒を示す。該係止駒５は雌ねじを刻設した軸穴が形成してあるボス５Ａと、該ボス５Ａの外面から直径方向に突出し、基端側５Ｂ1 、５Ｂ1 から先端５Ｂ2 、５Ｂ2 にかけて湾曲した一対の掛架腕５Ｂ、５Ｂを一体に成形したものからなっており、全体として略「（」状をなしている。なお、該一対の掛架腕５Ｂ、５Ｂの幅Ｗは、エキスパンドメタル１の菱形開口１Ｂに挿通可能で、かつ約９０度回転することにより各掛架腕５Ｂが開口桟１Ａ、１Ａに係合する値に設定してある。
【００１９】
このように、係止駒５の一対の掛架腕５Ｂ、５Ｂはエキスパンドメタル１側に湾曲させてあるから、エキスパンドメタル１の開口桟１Ａ、１Ａを跨がった一対の掛架腕５Ｂ、５Ｂは先端５Ｂ2 、５Ｂ2 側が隣接する菱形開口１Ｂ、１Ｂに嵌入することにより、係止駒５は確実かつ強固にエキスパンドメタル１に係合することができる。
【００２０】
６は前記係止駒５との間にエキスパンドメタル１を挟持して連結棒３を固定するために、連結棒３に遊嵌した挟持プレートを示す。該挟持プレート６はエキスパンドメタル１の菱形開口１Ｂより大きい略正方形の平板鋼板の中心に連結棒３の直径より若干大きい穴径の貫通穴６Ａを穿設したものからなっており、連結棒３に対して挟持プレート６は軸方向に自在に変位するようにしてある。
【００２１】
７は前記挟持プレート６をエキスパンドメタル１に押圧し、連結駒５との間でエキスパンドメタル１を強固に挟持することにより連結棒３をエキスパンドメタル１に支持させるための締結ナットで、該締結ナット７は連結棒３の他端側雄ねじ部３Ｂに螺合してある。
【００２２】
また、８は積重する複数個の自然石２、２、・・・の隙間から土砂や砕石等の裏込め材９が流出するのを防止すると共に、草木の種子が定着し易くして植生の早期育成を図るためのヤシマットを示す。該ヤシマット８は椰子の繊維を絡めて適宜の大きさに形成し、略中心に連結棒３が挿通する十字状の切れ目８Ａを形成したものからなっている。ここで、切れ目８Ａを十字状にしたのは、連結棒３の軸線に対してヤシマット８を上イ、下ロ、左ハ、右ニの各方向に移動可能にすることにより、自然石２、２間の隙間の位置に対向させて確実に裏込め材９の流出を防止することができるようにするためである。
【００２３】
本実施の形態は上述の構成からなるもので、図６に示すように積重する複数の自然石２、２、・・・を先ず工場のタタキＡに並べ、エキスパンドメタル１との間隔Ｌ1 に対応する長さの連結棒３1 、３2 、３3 を選択し、各自然石２に挿嵌固着したアンカー４に螺合して立設する。なお、自然石２とエキスパンドメタル１との間隔Ｌ1 は施工現場における土圧、土質、法面の高さ等の諸条件により決定されるもので、現場毎に異なるが、連結棒３の長さを選択することにより容易に対応することができる。そして、各連結棒３にヤシマット８を挿装し、締結ナット７を螺合し、挟持プレート６を嵌合し、最後に係止駒５を螺着する。このようにして各自然石２に連結部材をセットしたら、エキスパンドメタル１と共に施工現場に運搬する。
【００２４】
施工現場では地盤Ｂを整地し、斜面を掘削して法面Ｃを成形してエキスパンドメタル１を法面Ｃに添わせた状態に設置する。そして、地盤Ｂ上にエキスパンドメタル１との間隔Ｌ1 を目安にして自然石１を置き、係止駒５をエキスパンドメタル１の菱形開口１Ｂに嵌入して連結棒３を約９０度回転し、図４に示すように一対の掛架腕５Ｂ、５Ｂを開口桟１Ａ、１Ａに係合させる。然る後、図５に示すように、スパナ等の工具により締結ナット７を螺回して挟持プレート６をエキスパンドメタル１に押圧することにより、連結棒３をエキスパンドメタル１に強固に取着する。
【００２５】
上述の如くして、地盤Ｂ上に自然石２、２、・・・を配設したら、各ヤシマット８が自然石２、２間の隙間を覆うように位置決めし、自然石２、２、・・・とエキスパンドメタル１との間に土砂等の裏込め材９を充填する。次に、上段の自然石２、２、・・・を同様にしてエキスパンドメタル１に支持させて裏込め材９を充填し、この工程を繰り返して自然石２をパネル状に積重した構造体を構築する。これらの作業において、下段の各自然石２はエキスパンドメタル１に強固に支持されていて安定性に優れているし、エキスパンドメタル１の前面側から作業を行うから、上段の自然石２を順次積重して支持する作業に熟練した技術を必要としないし、容易にかつ効率よく行うことができる。
【００２６】
また、上述の如く自然石２を積重しエキスパンドメタル１に支持させる作業は全て前面側から行うことができるから、作業効率に優れているし、短期間で施工することができる。
【００２７】
また、図８に示すように、施工現場が狭隘なためにエキスパンドメタル１と自然石２との間隔Ｌ2 が１００ｍｍ以下の狭い場合でも、本発明によれば作業員が手を入れる空間の範囲内であれば自然石２を積重してパネル状に構築する施工が可能である。
【００２８】
なお、本実施の形態では、閉塞マットにヤシマット８を用いたが、腐食、微生物等による経年分解性のある素材で成形したものであればヤシマットに限定されるものではない。
【産業上の利用可能性】
【００２９】
本発明は、本実施の形態で説明した天然の自然石２を積重してパネル化する例に限られるものではなく、人造の自然石、コンクリートブロック、ボックス型植木ブロック等を積重してパネル化する場合にも用いることができるものである。
【図面の簡単な説明】
【００３０】
【図１】本発明の実施の形態に係る自然石のパネル状構造体の施工過程を示す部分斜視図である。
【図２】自然石とエキスパンドメタルの連結部材を一部を破断にして示す説明図である。
【図３】連結棒とヤシマットの配置状態を示す自然石の後面図である。
【図４】係止駒をエキスパンドメタルに後面側から係止した状態を示す説明図である。
【図５】締結ナットにより挟持プレートをエキスパンドメタルに押圧する工程を示す説明図である。
【図６】自然石に対する連結棒の長さ設定を示す説明図である。
【図７】自然石を積重してパネル状構造体を構築した状態を示す説明図である。
【図８】狭隘な施工現場で自然石を積重してパネル状構造体を構築した状態を示す説明図である。
【符号の説明】
【００３１】
１        エキスパンドメタル
１Ａ      開口桟
１Ｂ      菱形開口
２        自然石（積重物）
３        連結棒
３Ｂ      雄ねじ部
５        係止駒
５Ｂ      掛架腕
６        挟持プレート
７        締結ナット
８        ヤシマット（閉塞マット）
【図１】
2005097968.tif 000003
【図２】
2005097968.tif 000004
【図３】
2005097968.tif 000005
【図４】
2005097968.tif 000006
【図５】
2005097968.tif 000007
【図６】
2005097968.tif 000008
【図７】
2005097968.tif 000009
【図８】
2005097968.tif 000010